(57)【要約】  機器の施工に関連する情報のサーバへの登録を可能にする情報登録方法は、情報端末が、サーバのアドレスと機器を識別する機器識別情報とを示す登録用情報を例えば撮影により取得するステップ（Ｓ１１）、サーバに当該登録用情報が示す機器識別情報を送信するステップ（Ｓ１２ａ）、機器を施設に設置する施工者についての施工者識別情報を取得して送信するステップ（Ｓ１４ａ）、及び、施設を特定する施設特定用情報を取得して送信するステップ（Ｓ１６ａ）を含む。
2017068779.tif 000002
【特許請求の範囲】
【請求項１】
機器設置の施工に係る情報を管理するサーバと通信可能な情報端末において用いられる情報登録方法であって、
前記サーバのアドレスと機器を識別する機器識別情報とを示す登録用情報を、受光又は受信により取得する第１取得ステップと、
前記機器を施設に設置する施工者についての施工者識別情報を取得する第２取得ステップと、
前記施設を特定する施設特定用情報を取得する第３取得ステップと、
前記第１取得ステップで取得された前記登録用情報が示す前記アドレスに係る前記サーバに、当該登録用情報が示す前記機器識別情報を送信する第１送信ステップと、
前記第１取得ステップで取得された前記登録用情報が示す前記アドレスに係る前記サーバに、前記第２取得ステップで取得された前記施工者識別情報を送信する第２送信ステップと、
前記第１取得ステップで取得された前記登録用情報が示す前記アドレスに係る前記サーバに、前記第３取得ステップで取得された前記施設特定用情報を送信する第３送信ステップとを含む
情報登録方法。
【請求項２】
前記第１取得ステップでは、前記情報端末が備える撮像素子を用いて前記機器を撮影対象として撮影することにより、前記登録用情報の取得を行う
請求項１記載の情報登録方法。
【請求項３】
前記第１取得ステップでは、前記情報端末が備える撮像素子を用いて前記登録用情報を表す２次元コードの印刷物を撮影することにより、前記登録用情報の前記取得を行う
請求項１又は２記載の情報登録方法。
【請求項４】
前記登録用情報は、前記サーバのアドレスと機器を識別する機器識別情報とを含んで構成されるＵＲＬである
請求項３記載の情報登録方法。
【請求項５】
前記第２取得ステップでは、前記情報端末への入力操作を受け付けることにより、前記施工者識別情報の前記取得を行う
請求項１〜４のいずれか一項に記載の情報登録方法。
【請求項６】
前記機器は、施設の電力制御を行うための電力管理装置であり、
前記第２取得ステップで取得する前記施工者識別情報は、施設の電力制御を行えるように前記電力管理装置を当該施設に設置する施工者が、前記サーバから閲覧用情報を取得するための認証用情報であり、
前記サーバは、複数の施設それぞれについて当該施設に設置された電力管理装置を識別する機器識別情報と当該設置を施工した施工者についての施工者識別情報とを対応付けた対応情報を記録しており、前記施工者識別情報を受信した場合に前記対応情報に基づいて生成した前記閲覧用情報を当該施工者識別情報の送信元に送信する機能と、前記第１送信ステップ、前記第２送信ステップ及び前記第３送信ステップで送信された各情報を受信した場合に当該各情報に応じて前記対応情報を更新する機能とを有する
請求項１〜５のいずれか一項に記載の情報登録方法。
【請求項７】
前記情報登録方法は更に、前記第２送信ステップでの前記送信に対応して前記サーバから送信される、１以上の各施設を示す選択用情報を受信する選択用情報受信ステップを含み、
前記第３取得ステップでは、前記選択用情報受信ステップで受信した前記選択用情報を前記情報端末が備えるディスプレイに表示した後に前記情報端末への、施設を選択する入力操作を受け付けることにより、当該選択に係る施設を特定する前記施設特定用情報の前記取得を行う
請求項１〜６のいずれか一項に記載の情報登録方法。
【請求項８】
前記選択用情報は、前記１以上の各施設について、既に当該施設に機器が設置されているか否かを示す情報を含み、
前記第３取得ステップでは、前記選択用情報が示す施設毎に当該施設に機器が設置されているか否かを識別可能なように前記ディスプレイに表示する
請求項７記載の情報登録方法。
【請求項９】
サーバのアドレスと機器を識別する機器識別情報とを示す登録用情報を、受光又は受信により取得する第１取得部と、
前記機器を施設に設置する施工者についての施工者識別情報を取得する第２取得部と、
前記施設を特定する施設特定用情報を取得する第３取得部と、
前記第１取得部により取得された前記登録用情報が示す前記アドレスに係る前記サーバに、当該登録用情報が示す前記機器識別情報と、前記第２取得部により取得された前記施工者識別情報と、前記第３取得部により取得された前記施設特定用情報とを送信する送信部とを備える
情報端末。
【請求項１０】
プロセッサを備える情報端末に所定情報登録処理を実行させるための制御プログラムであって、
前記所定情報登録処理は、
サーバのアドレスと機器を識別する機器識別情報とを示す登録用情報を、受光又は受信により取得する第１取得ステップと、
前記機器を施設に設置する施工者についての施工者識別情報を取得する第２取得ステップと、
前記施設を特定する施設特定用情報を取得する第３取得ステップと、
前記第１取得ステップで取得された前記登録用情報が示す前記アドレスに係る前記サーバに、当該登録用情報が示す前記機器識別情報を送信する第１送信ステップと、
前記第１取得ステップで取得された前記登録用情報が示す前記アドレスに係る前記サーバに、前記第２取得ステップで取得された前記施工者識別情報を送信する第２送信ステップと、
前記第１取得ステップで取得された前記登録用情報が示す前記アドレスに係る前記サーバに、前記第３取得ステップで取得された前記施設特定用情報を送信する第３送信ステップとを含む
制御プログラム。
【請求項１１】
機器設置の施工に係る情報を管理するサーバにおいて用いられる情報登録方法であって、
情報端末から機器を識別する機器識別情報を受信する第１受信ステップと、
前記情報端末から前記機器を施設に設置する施工者についての施工者識別情報を受信する第２受信ステップと、
１以上の各施設を示す選択用情報を送信する選択用情報送信ステップと、
前記選択用情報送信ステップで送信した前記選択用情報が示す前記各施設のうちの１つの施設を特定する施設特定用情報を前記情報端末から受信する第３受信ステップと、
前記第１受信ステップ、前記第２受信ステップ及び前記第３受信ステップで受信した各情報に基づいて、前記施設特定用情報で特定される施設と前記機器識別情報と前記施工者識別情報とを対応付けた対応情報を記録する記録ステップとを含む
情報登録方法。
【請求項１２】
プロセッサを備えるサーバに所定情報登録処理を実行させるための制御プログラムであって、
前記所定情報登録処理は、
情報端末から機器を識別する機器識別情報を受信する第１受信ステップと、
前記情報端末から前記機器を施設に設置する施工者についての施工者識別情報を受信する第２受信ステップと、
１以上の各施設を示す選択用情報を送信する選択用情報送信ステップと、
前記選択用情報送信ステップで送信した前記選択用情報が示す前記各施設のうちの１つの施設を特定する施設特定用情報を前記情報端末から受信する第３受信ステップと、
前記第１受信ステップ、前記第２受信ステップ及び前記第３受信ステップで受信した各情報に基づいて、前記施設特定用情報で特定される施設と前記機器識別情報と前記施工者識別情報とを対応付けた対応情報を記録する記録ステップとを含む
制御プログラム。
【請求項１３】
機器設置の施工に係る情報を管理する管理システムであって、
機器を識別する機器識別情報を、受光又は受信により取得する第１取得部と、
前記機器を施設に設置する施工者についての施工者識別情報を取得する第２取得部と、
前記施設を特定する施設特定用情報を取得する第３取得部と、
前記第３取得部により取得した前記施設特定用情報で特定される施設と第１取得部により取得した前記機器識別情報と前記第２取得部により取得した前記施工者識別情報とを対応付けた対応情報を記録する記録部とを備える
管理システム。
【発明の詳細な説明】
【技術分野】
【０００１】
本発明は、オフィスビル等の施設に対する機器設置の施工に係る情報を管理する管理システム、その管理システムで用いられる情報登録方法、情報端末及び制御プログラムに関する。
【背景技術】
【０００２】
従来、複数の需要家毎に設けられる複数の下位電力管理装置と、複数の下位電力管理装置を管理する上位電力管理装置とを備える電力管理システムが知られている（特許文献１参照）。各下位電力管理装置は、各下位電力管理装置に接続される負荷の消費電力量を含む電力情報を上位電力管理装置に送信する装置である。
【先行技術文献】
【特許文献】
【０００３】
【特許文献１】国際公開第２０１３／０４７１１６号
【発明の概要】
【発明が解決しようとする課題】
【０００４】
特許文献１の電力管理システムにおいて、新規に下位電力管理装置の施設への設置を施工する場合には、下位電力管理装置と上位電力管理装置とを紐付けるための設定を行う必要がある。このために施工者が下位電力管理装置のアドレス等を上位電力管理装置に入力して設定する作業が施工者に負担をかける。このように、施設への機器の設置に際してその機器の情報等を、機器を管理するシステムに入力して登録する作業は、設置の施工者に負担をかける。【０００５】
そこで、本発明は、電力管理装置等の機器の、施設への設置を施工した施工者の負担を軽減して、その機器の施工に関連する情報の設定（登録）を可能にする管理システムを提供する。また、本発明は、その管理システムで用いられる情報登録方法、情報端末、及び、制御プログラムを提供することを目的とする。
【課題を解決するための手段】
【０００６】
上記目的を達成するために本発明の一態様に係る情報登録方法は、機器設置の施工に係る情報を管理するサーバと通信可能な情報端末において用いられる情報登録方法であって、前記サーバのアドレスと機器を識別する機器識別情報とを示す登録用情報を、受光又は受信により取得する第１取得ステップと、前記機器を施設に設置する施工者についての施工者識別情報を取得する第２取得ステップと、前記施設を特定する施設特定用情報を取得する第３取得ステップと、前記第１取得ステップで取得された前記登録用情報が示す前記アドレスに係る前記サーバに、当該登録用情報が示す前記機器識別情報を送信する第１送信ステップと、前記第１取得ステップで取得された前記登録用情報が示す前記アドレスに係る前記サーバに、前記第２取得ステップで取得された前記施工者識別情報を送信する第２送信ステップと、前記第１取得ステップで取得された前記登録用情報が示す前記アドレスに係る前記サーバに、前記第３取得ステップで取得された前記施設特定用情報を送信する第３送信ステップとを含む。【０００７】
また、本発明の一態様に係る情報端末は、サーバのアドレスと機器を識別する機器識別情報とを示す登録用情報を、受光又は受信により取得する第１取得部と、前記機器を施設に設置する施工者についての施工者識別情報を取得する第２取得部と、前記施設を特定する施設特定用情報を取得する第３取得部と、前記第１取得部により取得された前記登録用情報が示す前記アドレスに係る前記サーバに、当該登録用情報が示す前記機器識別情報と、前記第２取得部により取得された前記施工者識別情報と、前記第３取得部により取得された前記施設特定用情報とを送信する送信部とを備える。【０００８】
また、本発明の一態様に係る制御プログラムは、プロセッサを備える情報端末に所定情報登録処理を実行させるための制御プログラムであって、前記所定情報登録処理は、サーバのアドレスと機器を識別する機器識別情報とを示す登録用情報を、受光又は受信により取得する第１取得ステップと、前記機器を施設に設置する施工者についての施工者識別情報を取得する第２取得ステップと、前記施設を特定する施設特定用情報を取得する第３取得ステップと、前記第１取得ステップで取得された前記登録用情報が示す前記アドレスに係る前記サーバに、当該登録用情報が示す前記機器識別情報を送信する第１送信ステップと、前記第１取得ステップで取得された前記登録用情報が示す前記アドレスに係る前記サーバに、前記第２取得ステップで取得された前記施工者識別情報を送信する第２送信ステップと、前記第１取得ステップで取得された前記登録用情報が示す前記アドレスに係る前記サーバに、前記第３取得ステップで取得された前記施設特定用情報を送信する第３送信ステップとを含む。【０００９】
また、本発明の一態様に係る情報登録方法は、機器設置の施工に係る情報を管理するサーバにおいて用いられる情報登録方法であって、情報端末から機器を識別する機器識別情報を受信する第１受信ステップと、前記情報端末から前記機器を施設に設置する施工者についての施工者識別情報を受信する第２受信ステップと、１以上の各施設を示す選択用情報を送信する選択用情報送信ステップと、前記選択用情報送信ステップで送信した前記選択用情報が示す前記各施設のうちの１つの施設を特定する施設特定用情報を前記情報端末から受信する第３受信ステップと、前記第１受信ステップ、前記第２受信ステップ及び前記第３受信ステップで受信した各情報に基づいて、前記施設特定用情報で特定される施設と前記機器識別情報と前記施工者識別情報とを対応付けた対応情報を記録する記録ステップとを含む。【００１０】
また、本発明の一態様に係る制御プログラムは、プロセッサを備えるサーバに所定情報登録処理を実行させるための制御プログラムであって、前記所定情報登録処理は、情報端末から機器を識別する機器識別情報を受信する第１受信ステップと、前記情報端末から前記機器を施設に設置する施工者についての施工者識別情報を受信する第２受信ステップと、１以上の各施設を示す選択用情報を送信する選択用情報送信ステップと、前記選択用情報送信ステップで送信した前記選択用情報が示す前記各施設のうちの１つの施設を特定する施設特定用情報を前記情報端末から受信する第３受信ステップと、前記第１受信ステップ、前記第２受信ステップ及び前記第３受信ステップで受信した各情報に基づいて、前記施設特定用情報で特定される施設と前記機器識別情報と前記施工者識別情報とを対応付けた対応情報を記録する記録ステップとを含む。【００１１】
また、本発明の一態様に係る管理システムは、機器設置の施工に係る情報を管理する管理システムであって、機器を識別する機器識別情報を、受光又は受信により取得する第１取得部と、前記機器を施設に設置する施工者についての施工者識別情報を取得する第２取得部と、前記施設を特定する施設特定用情報を取得する第３取得部と、前記第３取得部により取得した前記施設特定用情報で特定される施設と第１取得部により取得した前記機器識別情報と前記第２取得部により取得した前記施工者識別情報とを対応付けた対応情報を記録する記録部とを備える。
【発明の効果】
【００１２】
本発明によれば、施工者は、機器の施工に関連する情報を設定（登録）するに際して、全て手入力で登録する場合に比べて比較的容易に登録作業を行うことが可能になる。
【図面の簡単な説明】
【００１３】
【図１】図１は、実施の形態１に係る管理システムの概略構成図である。
【図２】図２は、管理システムにおける情報端末及びサーバの機能ブロック図である。
【図３】図３は、サーバが記録している対応情報の一例を示す図である。
【図４】図４は、電力管理装置に付加された印刷物（２次元コードが印刷された紙）を示す図である。
【図５】図５は、撮影画像を表示した情報端末の画面例を示す図である。
【図６】図６は、ＵＲＬを表示した情報端末の画面例を示す図である。
【図７】図７は、ログイン情報の入力フォームを表示した情報端末の画面例を示す図である。
【図８】図８は、施設の選択肢を表示した情報端末の画面例を示す図である。
【図９】図９は、電力管理装置の情報の登録確認のための画面を表示した情報端末の画面例を示す図である。
【図１０】図１０は、電力管理装置の施工に関連する情報を登録する手順を示すフローチャートである。
【図１１】図１１は、電力管理装置の施工に関連する情報の登録のための情報端末とサーバとの連携動作を示すシーケンス図である。
【発明を実施するための形態】
【００１４】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１５】
（実施の形態１）
以下、本発明の一実施形態に係る管理システム１００について説明する。
【００１６】
（構成）
図１は、実施の形態１に係る管理システム１００を示す概略構成図である。
【００１７】
管理システム１００は、オフィスビル等の建築物である、施主（例えばビルの所有者等）の１以上の施設毎に、その施設への電力管理装置の設置という施工が行われるところ、その施工に関連した情報を集約して管理するシステムである。施主の施設への電力管理装置の設置は、施主の依頼に基づいて施工者が行う。施工者は、例えば、施設における電力制御を行えるように電力管理装置の施設への設置の施工を業として行う施工業者である。施工に関連した情報はサーバ１０に記録（登録）される。施工者は、電力管理装置の施工に際して情報端末２０を用いて、サーバ１０への情報の登録作業を行い、このときに管理システム１００では、所定の情報登録方法が用いられる。
【００１８】
管理システム１００は、図１に示すようにサーバ１０とネットワーク７０を介して通信可能な情報端末２０を含んで構成される。また、サーバ１０は、施設４０ａ〜４０ｃのそれぞれに設置された電力管理装置３０ａ〜３０ｃと通信可能である。
【００１９】
施設４０ａ〜４０ｃに設置された電力管理装置３０ａ〜３０ｃはそれぞれ、各施設内部の計測装置５０ａ〜５０ｃ及びルータ６０ａ〜６０ｃと通信可能に接続されている。ここでは施設４０ａに設置された電力管理装置３０ａに注目して説明するが、他の電力管理装置３０ｂ、３０ｃも同様である。
【００２０】
ネットワーク７０は、例えばインターネット等の広域ネットワークである。
【００２１】
情報端末２０は、タブレット、スマートフォン、パーソナルコンピュータ等のコンピュータである。情報端末２０は、施主の施設への電力管理装置の設置に係る施工を行う施工者により、その設置（施工）に際して用いられるため、例えば可搬性を有することが有用である。情報端末２０は、プロセッサ（マイクロプロセッサ）、メモリ、ディスプレイ、入力装置及び通信インタフェース（Ｉ／Ｆ）を備える。メモリは、プログラム及びデータを予め保持しているＲＯＭ、プログラムの実行に際してデータ等の記憶に利用するためのＲＡＭ等であり、例えば不揮発性メモリを含んでいてもよい。プロセッサは、メモリに格納された制御プログラム等を実行することにより例えば通信Ｉ／Ｆ等を制御して各種処理を行う。制御プログラムは、所定情報登録処理（情報端末用情報登録処理）を実行させるためのプログラムを含む。通信Ｉ／Ｆは、無線又は有線通信でネットワーク７０を介してサーバ１０と通信するための通信回路である。入力装置は、例えばタッチパネル、キーボード、ポインティングデバイス等である。
【００２２】
サーバ１０は、例えばプロセッサ、メモリ及び通信Ｉ／Ｆを備えるコンピュータにより構成され、例えばハードディスク装置等の記録媒体を備え得る。プロセッサは、メモリに格納された制御プログラム等を実行することにより例えば通信Ｉ／Ｆ等を制御して各種処理を行う。制御プログラムは、所定情報登録処理（サーバ用情報登録処理）を実行させるためのプログラムを含む。通信Ｉ／Ｆは、無線又は有線通信でネットワーク７０を介して情報端末２０或いは他の装置と通信するための通信回路である。サーバ１０は、例えば電力事業者、機器製造業者或いは情報サービス事業者等により運用される。
【００２３】
電力管理装置３０ａは、例えば一種のＢＥＭＳ（Building Energy Management System）コントローラ等であり、施設４０ａに設置され、施設４０ａにおける電力を管理するための装置である。電力管理装置３０ａは、例えばプロセッサ、メモリ及び通信Ｉ／Ｆを備えるコンピュータにより構成される。電力管理装置３０ａは、例えば、消費電力抑制等のために施設内で各分岐回路に接続された各種電気機器を有線又は無線によるＬＡＮ（Local Area Network）を介して制御する機能を有する。また、電力管理装置３０ａは、施設内の各種電気機器で消費される電力量の分岐回路毎での測定結果を計測装置５０ａから取得してその測定結果を表す情報をモニター等に表示可能とする機能等を有する。また、電力管理装置３０ａは、ルータ６０ａ及びネットワーク７０を介してサーバ１０と通信し、例えば電力管理装置３０ａが取得した電力に係る情報をサーバ１０に伝送し、また、例えばサーバ１０からの指令に応じて、各種電気機器に対する制御内容を定める。
【００２４】
施設４０ａでは、電力事業者等の設備である電力系統からの電力（系統電力）が幹線に相当する主幹回路に供給され、その幹線に供給される系統電力を複数の分岐回路毎に分岐させる。計測装置５０ａは、施設４０ａにおける主幹回路において消費される電力使用量と、施設４０ａにおける複数の分岐回路において消費される電力使用量とを計測する装置である。計測装置５０は、分岐回路毎に例えばＣＴ（Current Transformer）を含み、ＣＴ等により消費電力（電流量）の測定が可能である。
【００２５】
以下、所定の情報登録方法を、管理システム１００における情報端末２０、サーバ１０等により実行する例について詳しく説明する。まず、情報端末２０及びサーバ１０の機能について説明する。
【００２６】
図２は、情報端末２０及びサーバ１０の機能ブロック図である。
【００２７】
サーバ１０は、各施主の施設への電力管理装置の設置に係る施工について示す情報（対応情報）を記録して保持し、その情報の記録、更新、出力等を行う機能等を有する。サーバ１０は、機能面では図２に示すように記録部１１、受信部１２、送信部１３及び処理部１４を備える。また、サーバ１０は、ＨＴＴＰ（Hypertext Transfer Protocol）等に従って、ネットワーク７０からのアクセスに対してＵＲＬのパス等で特定されるウェブページ（ウェブコンテンツ）等を送信するウェブサーバ機能を有する。ウェブコンテンツは例えば、ＨＴＭＬ（Hypertext Markup Language）等で表される。
【００２８】
記録部１１は、メモリ、ハードディスク装置等の記憶媒体（記録媒体）に対応情報を記録して保持する機能を有する。図３に対応情報の一例を示す。図３に示すように、対応情報は、施設に関する情報と、施工者に関する情報と、電力管理装置に関する情報とを対応付けて構成される。施設に関する情報には、例えば、施設の名称、所在地といった施設特定用情報、施主（施設への電力管理装置の設置を依頼した施設の所有者等）の情報等が含まれる。施工者に関する情報には、例えば、施工者がサーバ１０にアクセスするために必要となるログイン情報（ログインＩＤ、パスワード等）といった施工者識別情報等が含まれる。電力管理装置に関する情報には、例えば、電力管理装置を識別する機器識別情報（製造メーカ、型番等の情報）が含まれる。従って、記録部１１は、少なくとも施設特定用情報で特定される施設と、機器識別情報と、施工者識別情報とを対応付けた対応情報を記録する。この対応情報は、施設が複数の場合に施設毎に施設と機器識別情報と施工者識別情報とを対応付ける。図３の例では、各行が、１つの施工（施設への電力管理装置の設置工事）に際して登録される情報のレコードを示している。図３は、例えば、施主Ａの所有する施設Ａに、施工者Ａが、製造メーカＡの型番Ｂという電力管理装置を設置する工事（施工）を行った場合に登録されるレコードの例を含んでいる。この例では、施設Ａは施設特定用情報で特定される情報であり、別途定められた施主と施設とを対応付ける情報に基づいて施主Ａと対応付けられている。また、製造メーカＡと型番Ｂとは機器識別情報で特定される情報であり、施工者Ａは、施工者識別情報で特定される情報である。なお、施工者がサーバ１０にアクセスして、電力管理装置を設置する予定である施設を登録することも可能であり、この場合には対応情報においてその施工者に対応した施設について電力管理装置を識別する機器識別情報（製造メーカ、型番等の情報）は空欄となる。
【００２９】
受信部１２は、通信Ｉ／Ｆ等で実現され、ネットワーク７０を介して情報端末２０から受信した情報（データ）を処理部１４へと通知する機能を有する。
【００３０】
送信部１３は、通信Ｉ／Ｆ等で実現され、処理部１４からの制御を受けて情報（データ）を、ネットワーク７０を介して情報端末２０へと送信する機能を有する。
【００３１】
処理部１４は、更新機能部１４１、選択用情報送信制御部１４２及び閲覧用情報送信機能部１４３を含み、制御プログラムを実行するプロセッサ等により実現され、サーバ１０の各部を制御する。更新機能部１４１は、受信部１２により情報端末２０から受信した情報を取得して、その情報により記録部１１の記録内容の更新（つまり情報の登録）を行う機能を有する。選択用情報送信制御部１４２は、記録部１１が保持している対応情報に基づいて、受信部１２が受信した施工者識別情報が示すログイン中の施工者に対応してその対応情報が示す施設を抽出し、抽出した施設を列挙した選択用情報を生成して、その選択用情報を送信部１３に送信させる機能を有する。選択用情報には、施設毎にその施設に電力管理装置が既に設置されているか否かを示す情報を含む。閲覧用情報送信機能部１４３は、記録部１１が保持する対応情報に基づき、受信部１２が受信した施工者識別情報が示すログイン中の施工者に関連する対応情報の一部を抽出し、閲覧用情報として送信部１３に、施工者識別情報の送信元へ送信させる機能を有する。この閲覧用情報は例えばウェブページとして提供され、その場合にはウェブブラウザ機能を有するコンピュータ（情報端末２０等）により閲覧可能となる。
【００３２】
情報端末２０は、施工者が施工に関する情報をサーバ１０に登録する機能、或いは、サーバ１０に登録されている一部の情報を取得して表示する機能等を有する。これらの機能を実現するために、情報端末２０は、機能面では図２に示すように撮像部２１、操作受付部２２、送信部２３、受信部２４、表示部２５及び処理部２６を備える。
【００３３】
撮像部２１は、撮像素子（イメージセンサ）、レンズ等を含むカメラで実現され、撮影対象（被写体）からの光を受光する撮影により撮影対象を表す画像を生成する機能を有する。施設４０ａへの電力管理装置３０ａの設置工事に係る施工を行った際に施工者は、電力管理装置３０ａに付された印刷物３１を撮影対象として、情報端末２０の撮像部２１で撮影を行う。図４に示す、ＱＲコード（登録商標）等の２次元コード３１１が印刷された紙（シール、ラベル、ステッカー）等の印刷物３１が、電力管理装置３０ａの筺体に貼付されている。この２次元コードは、サーバ１０のアドレスおよび電力管理装置３０ａの機器識別情報を含むＵＲＬ（Uniform Resource Locator）である登録用情報を、模様（パターン）等で表したものである。サーバ１０のアドレスはネットワークにおける所在を示す情報であり、例えば、ＩＰ（Internet Protocol）アドレス等である。
【００３４】
操作受付部２２は、入力装置等で実現され、ユーザ（施工者）による操作を受け付ける機能を有する。
【００３５】
送信部２３は、通信Ｉ／Ｆ等で実現され、処理部２６からの制御を受けて情報（データ）をネットワーク７０へと送信する機能を有する。
【００３６】
受信部２４は、通信Ｉ／Ｆ等で実現され、ネットワーク７０から受信した情報（データ）を処理部２６へと通知する機能を有する。
【００３７】
表示部２５は、ディスプレイ等で実現され、処理部２６からの制御を受けて情報を表す画像等を表示する機能を有する。
【００３８】
処理部２６は、登録用情報取得部２６１、施工者識別情報取得部２６２及び施設特定用情報取得部２６３を含み、制御プログラムを実行するプロセッサ等により実現され、情報端末２０の各部を制御する。登録用情報取得部２６１は、２次元コードの読み取り用のアプリケーションプログラム等の実行により、２次元コードを解析するアルゴリズムを実行可能である。そして、登録用情報取得部２６１は、撮影対象からの光の受光による撮影により撮像部２１で生成された画像を解析して２次元コードが表す登録用情報（サーバ１０のアドレス及び撮影対象の電力管理装置の機器識別情報）を取得する機能を有する。施工者識別情報取得部２６２は、操作受付部２２により受け付けられた操作に基づいて、ログインＩＤ、パスワード等の施工者識別情報を取得する機能を有する。施設特定用情報取得部２６３は、操作受付部２２により受け付けられた操作に基づいて、施設特定用情報を取得する機能を有する。処理部２６は、登録用情報取得部２６１、施工者識別情報取得部２６２及び施設特定用情報取得部２６３のそれぞれにより取得された各情報を、送信部２３を制御してネットワーク７０へと送信させる機能を有する。また、処理部２６は、操作受付部２２に対する操作に応じて撮像部２１を制御して撮影を行わせる機能や、受信部２４でサーバ１０から受信した選択用情報、閲覧用情報等の各種情報を表示部２５に表示させるよう制御する機能等を有する。
【００３９】
図５〜図９は、上述した情報端末２０の処理部２６の制御により表示部２５に表示される画面の例を示す図である。
【００４０】
施工者が情報端末２０のカメラ（撮像部２１）により、電力管理装置３０ａを施設４０ａに設置した際に電力管理装置３０ａに付された２次元コードの印刷物を撮影すると、情報端末２０のディスプレイ（表示部２５）の画面は、図５に示す画面２０１のようになる。画面２０１は、撮像部２１により２次元コードが印刷された印刷物３１を撮影している間においてその撮影に係る画像を表示している。
【００４１】
図６に示す画面２０２は、処理部２６が、２次元コードを撮影して取得された登録用情報としてのＵＲＬを表示している。この画面２０２に表示されたＵＲＬを選択する操作がなされると、情報端末２０はＵＲＬに従って、サーバ１０のアドレスを用いてサーバ１０にアクセスしてサーバ１０に電力管理装置３０ａの機器識別情報を送信する。このＵＲＬは、サーバ１０のアドレスと電力管理装置３０ａの機器識別情報とを含む。ここでは、２次元コードで表された登録用情報であるＵＲＬが、電力管理装置３０ａに固有なウェブページ（ウェブコンテンツ）を特定するパスとしての機器識別情報を含むものとしている。
【００４２】
図７に示す画面２０３は、図６の画面２０２に示すＵＲＬによりサーバ１０から取得するウェブコンテンツに基づく、ログイン情報の入力フォームを表示している。ログイン情報は、施工者ＩＤ（ログインＩＤ）とパスワード等の施工者識別情報である。
【００４３】
図８に示す画面２０４は、施工者が図７のログイン情報の入力フォームに対して施工者識別情報を入力した場合に表示される画面である。画面２０４には、サーバ１０から送信される選択用情報に基づいてその施工者に関連する施設の一覧（選択肢）が含まれる。サーバ１０から送信される選択用情報が、対応情報に基づいて、施設毎にその施設に電力管理装置が既に設置されているか否かを示す情報を含ませているため、これに基づいて情報端末２０が施設毎に電力管理装置の設置の有無を区別する表示を行っている。これにより、図８での例では、管理システム１００での登録上は、「施設００１」及び「施設００２」には既に電力管理装置が設置されていることが示されており、「施設００３」及び「施設００４」には電力管理装置が未だ設置されていないことが示されている。
【００４４】
図９に示す画面２０５は、図８の施設の一覧（選択肢）に対して、施設４０ａに該当する「施設００３」の選択操作がなされた場合に表示される画面である。画面２０５には、電力管理装置３０ａの施工に関する情報の登録確認のための「登録」ボタン等が含まれる。
【００４５】
（動作）
所定の情報登録方法を、管理システム１００における情報端末２０、サーバ１０等により実行させる際における施工者の作業について説明する。
【００４６】
図１０は、電力管理装置の施工に関連する情報を登録する手順を示すフローチャートである。以下、同図に即して、電力管理装置３０ａを施設４０ａに設置するための施工者の作業について説明する。
【００４７】
施主から施工依頼を受けるとまず施工者は、施主の施設をサーバ１０に登録する（ステップＳ１）。これは、施工者について予め定められたログイン情報を用いて情報端末２０或いは他の端末装置（ウェブブラウザ機能を有する端末等）を用いてサーバ１０にアクセスすることで、電力管理装置を設置する予定である施設を登録する。この結果として、サーバ１０において施工者と施設とが対応情報（図３参照）により対応付けられる。なお、この段階では、対応情報において、その施設に対応する電力管理装置を識別する機器識別情報（製造メーカ、型番等の情報）は空欄（つまり情報なし）となる。施工者は、このステップＳ１の作業を、施主の施設に施工に行く前に行い得る。
【００４８】
続いて、施工者は、情報端末２０を携帯して、施主の施設に行き、施設に電力管理装置を設置する工事を行う（ステップＳ２）。この設置の際には、電力管理装置が正常に機能するかを確認するために必要な検査等を行い得る。電力管理装置により施設における電力制御等が適切に行えるか否か等について検査が行われ得る。正常に機能しない場合には、必要に応じて別の電力管理装置に交換してもよい。ここでは、検査、交換等の結果として、その施主の施設に設置した電力管理装置３０ａが正常に機能したとする。
【００４９】
施工者は、その正常に機能する電力管理装置３０ａに付された印刷物３１の２次元コードを情報端末２０で撮影する（ステップＳ３、図５参照）。情報端末２０では、情報端末用情報登録処理を行う制御プログラムがプロセッサに実行されて、撮影された２次元コードから登録用情報としてのＵＲＬが抽出され（図６参照）、ＵＲＬが示すサーバ１０にアクセスして電力管理装置３０ａの機器識別情報が送信される。また、これに対応してサーバ１０からその電力管理装置３０ａに対応した情報登録用のウェブページとしてのログイン情報の入力フォームが送信されて、情報端末２０に表示される。なお、施工者が施工の現場で電力管理装置３０ａを撮影すると、図７に例示するようなその電力管理装置３０ａのためのウェブページが表示されることは、施工者にとっての作業負担が比較的小さい。施工の現場で、電力管理装置３０ａの機器識別情報（型番、製造メーカ等の情報）を手作業で、記録する作業又は入力装置等へ入力する作業が不要となるからである。
【００５０】
次に、施工者は、情報端末２０を操作して施工者識別情報（ログイン情報）を入力する（ステップＳ４）。情報端末２０では、入力されたログイン情報のサーバ１０への送信を行うと、サーバ１０では、そのログイン情報で識別される施工者がステップＳ１で登録した施設を含む選択用情報（施工者に対応情報で対応する施設を列挙した情報）を情報端末２０に送信する。情報端末２０ではその選択用情報に基づき、施設の選択肢を表示する（図８参照）。
【００５１】
次に、施工者は、情報端末２０に表示された施設の選択肢から１つの施設を選択する入力操作を行う（ステップＳ５）。これにより、情報端末２０に例えば図９の画面２０５が表示される。このとき、情報端末２０は、施工者による「登録」ボタンの押下操作を受け付けると、選択された施設を特定するための施設特定用情報をサーバ１０に送信する。そして、サーバ１０では、情報端末２０から受信した各情報に基づいて対応情報が更新され、電力管理装置の施工に関連する情報の登録が完了する。
【００５２】
図１１は、所定の情報登録方法を実行するためのサーバ１０と情報端末２０との連携動作の一例を示すシーケンス図である。例えば、情報端末２０では、情報端末用情報登録処理を行うための制御プログラムがプロセッサに実行され、サーバ１０では、サーバ用情報登録処理を行うための制御プログラムがプロセッサに実行されることで、この動作が実現される。
【００５３】
施工者が施主の施設４０ａについて電力管理装置３０ａの設置の施工をした際に施工者が情報端末２０を操作して電力管理装置３０ａに貼付された印刷物３１に印刷された２次元コードを撮影すると、図１１に示すシーケンスが開始される。
【００５４】
情報端末２０は、撮像部２１及び登録用情報取得部２６１により、２次元コードの撮影により登録用情報としてのＵＲＬ（サーバ１０のアドレス及び電力管理装置３０ａの機器識別情報）を取得する（ステップＳ１１）。
【００５５】
情報端末２０は、処理部２６及び送信部２３により、登録用情報に基づいてサーバ１０にアクセスして、サーバ１０に機器識別情報を送信する（ステップＳ１２ａ）。これに呼応して、サーバ１０は、受信部１２及び処理部１４により、情報端末２０から機器識別情報を受信して取得する（ステップＳ１２ｂ）。
【００５６】
サーバ１０は、処理部１４及び送信部１３により、受信した機器識別情報に応じたログイン情報入力フォームを情報端末２０に送信する（ステップＳ１３ａ）。
【００５７】
情報端末２０は、受信部２４、処理部２６及び表示部２５により、ログイン情報入力フォームを受信して画面２０３（図７参照）を表示する（ステップＳ１３ｂ）。
【００５８】
ログイン情報入力フォームに対して施工者がログイン情報を入力すると、情報端末２０は操作受付部２２及び施工者識別情報取得部２６２により、ログイン情報（施工者識別情報）を取得し、送信部２３により施工者識別情報をサーバ１０に送信する（ステップＳ１４ａ）。これに呼応して、サーバ１０は、受信部１２及び処理部１４により、情報端末２０から施工者識別情報を受信して取得する（ステップＳ１４ｂ）。
【００５９】
次にサーバ１０は、選択用情報送信制御部１４２により、記録部１１が保持している対応情報を参照し、施工者識別情報が示す施工者に対応して登録された各施設を示す選択用情報を生成し、送信部１３により選択用情報を情報端末２０に送信する（ステップＳ１５ａ）。これに呼応して、情報端末２０は、受信部２４、処理部２６及び表示部２５により、選択用情報を受信して選択用情報に基づき施設を列挙した選択肢としての画面２０４（図８参照）を表示する（ステップＳ１５ｂ）。
【００６０】
次に情報端末２０では、表示部２５が表示した施設の選択肢に応じて施工者による選択操作がなされる。情報端末２０は、操作受付部２２及び施設特定用情報取得部２６３により、選択操作に応じて施設を特定する施設特定用情報を取得して、「登録」ボタンの押下操作がなされた場合に、送信部２３によりサーバ１０に送信する（ステップＳ１６ａ）。施設特定用情報は、ステップＳ１５ａでサーバ１０が送信した選択用情報が示す各施設のうちの１つの施設を特定する情報となっている。これに呼応して、サーバ１０は、受信部１２及び処理部１４により、情報端末２０から施設特定用情報を受信して取得する（ステップＳ１６ｂ）。
【００６１】
続いてサーバ１０は、更新機能部１４１により、取得した機器識別情報と、施工者識別情報と、施設特定用情報とに応じて、これらの各情報を対応付けるように記録部１１が保持する対応情報を更新することで、対応情報の記録を行う（ステップＳ１７）。この結果として、サーバ１０において、電力管理装置と、その電力管理装置を施主の施設に設置する工事を施工した施工者と、その施設とを対応付けて記録する対応情報により、電力管理装置と施工者と施設とが紐付けられる。
【００６２】
（他の実施の形態等）
以上、実施の形態１により管理システム１００及び情報登録方法について説明したが、上述した実施の形態は一例にすぎず、各種の変更、付加、省略等が可能であることは言う迄もない。
【００６３】
上述の実施の形態１では、電力管理装置３０ａに、登録用情報（サーバ１０のアドレス及び電力管理装置３０ａの機器識別情報）を表した２次元コードが印刷された印刷物３１（図４参照）が貼付された例を示した。また、このとき、情報端末２０が撮影（受光）により登録用情報を取得する例を示した。この２次元コードの代わりに、他の受光により光学的に読み取り可能なコード（例えばバーコード等）を用いることも可能である。また、２次元コード等の登録用情報を表す模様は、電力管理装置３０ａに付された印刷物に印刷されても、電力管理装置３０ａに直接印刷されていても、電力管理装置３０ａを封入していた箱（包装材）或いはその箱に同封されていた用紙類等に表されていてもよい。また、例えば電力管理装置３０ａ或いは箱等に付された、登録用情報を送信可能な非接触ＩＣタグに対応して、情報端末２０がその登録用情報を受信することで登録用情報を取得することとしてもよい。
【００６４】
また、上述した管理システム１００は、電力管理装置を施主の施設に設置する場合にその設置に係る施工に関する情報を登録するシステムであることとしたが、電力管理装置以外の機器を施工者が施主の施設に設置する場合に、その機器の施工に係る情報を登録することとしてもよい。この場合には、サーバ１０は、機器設置の施工に係る情報を管理することになる。またこの場合に、上述した所定の情報登録方法は、電力管理装置以外の機器に係る情報を管理するシステムにおいて、機器の施設への設置に係る施工に関する情報の登録作業においても利用可能となる。電力管理装置以外の機器の例としては、電力以外のエネルギー資源（ガス、水等）の消費を制御して管理する機器、発電機器、蓄電機器、測定機器、空調機器、その他の電気機器等が挙げられる。
【００６５】
また、上述した電力管理装置は、施設毎に１つ設置される例を示したが（図１参照）、１つの施設に複数設置されてもよい。施設に設置する電力管理装置の台数を予めサーバ１０に設定しておくこととしてもよい。この場合には、サーバ１０においてその設定された台数を条件とした制御が可能となる。例えば、サーバ１０は、施設を示す施設特定用情報に対して、その施設に設定された台数までの電力管理装置の機器識別情報を対応付けて、対応情報として記録するが、その台数を超えてはその記録を許容しないような制御を行い得る。１つの施設に対して複数の電力管理装置が対応付けられる場合において、サーバ１０は、施工者による１台の主機器の指定操作を情報端末２０を介して取得する等により、施設特定用情報と対応付けて主機器を特定する情報を、対応情報に含ませるようにしてもよい。その主機器を特定する情報は、施設の代表値として主機器に係る情報を利用すること等の用途に活用され得る。また、電力管理装置の新規設置の代わりに、交換、追加設置等を行うこととしてもよい。例えば交換の場合には、施工者は情報端末２０において図８に示す画面２０４に選択肢として表示される各施設のうちで、電力管理装置が既に設置されていることを示す施設を選択すればよい。
【００６６】
また、上述した情報端末２０では、サーバ１０から選択用情報を受信して施設の選択肢（図８参照）を表示して施工者による選択操作を受け付けることとしたが、選択肢を表示することなく、施工者により直接的に、施設の名称等の施設特定用情報の入力操作を受け付けてもよい。即ち、情報端末２０では、施設特定用情報取得部２６３が何らかの方法で施工者が指定した施設特定用情報を取得できればよい。
【００６７】
また、上述した情報端末２０が受け付ける施工者識別情報は、サーバ１０において予め登録されている情報であれば、必ずしもログインＩＤとパスワードとで構成される情報である必要はない。また、情報端末２０は、一度入力操作を受け付けることで取得したログインＩＤ等の施工者識別情報を保持しておき、それ以後におけるサーバ１０へのアクセスについてはログインＩＤ等の施工者識別情報の入力操作をしなくてもその保持している施工者識別情報を用いてサーバ１０へのログイン等を可能にする機能を備えていてもよい。また、情報端末２０が施工者識別情報取得部２６２により取得する施工者識別情報は、操作受付部２２で受け付けられた操作により表されるものに限られることはない。例えば、施工者識別情報取得部２６２は、施工者識別情報が既に入力されている記録媒体が情報端末２０に装着された場合にその記録媒体から読み出すことで施工者識別情報を取得してもよい。また、その記録媒体が非接触ＩＣカードである場合においてその非接触ＩＣカードから受信することで施工者識別情報を取得してもよいし、生体認証技術を用いて施工者識別情報を取得してもよい。
【００６８】
また、上述した情報登録方法の一例では、情報端末２０からサーバ１０に、機器識別情報と施工者識別情報と施設特定用情報とが別々のタイミングで送信される例（ステップＳ１２ａ、Ｓ１４ａ、Ｓ１６ａ）を示した。しかし、１度の送信タイミングで機器識別情報と施工者識別情報と施設特定用情報との２つ以上を一緒に送信することで送信回数を減らしてもよい。
【００６９】
また、実施の形態１で示した施設は、特にビルに限られることはなく、病院、競技場、駅舎その他の建築物であってもよい。
【００７０】
また、上述の管理システム１００における処理手順（図１１に示す手順等）の実行順序は、必ずしも、上述した通りの順序に制限されるものではなく、発明の要旨を逸脱しない範囲で、実行順序を入れ替えたりその一部を省略したりすることができる。例えば、情報端末２０が、機器識別情報、施工者識別情報及び施設特定用情報のそれぞれをサーバ１０に送信する順序を変更してもよい。また、その処理手順（図１１に示す手順等）の全部又は一部は、ハードウェアにより実現されても、ソフトウェアを用いて実現されてもよい。例えば、サーバ１０或いは情報端末２０は、ソフトウェア（プログラム）を含まないハードウェア（電子回路等）のみで構成されていてもよい。なお、ソフトウェアによる処理は、情報端末２０、サーバ１０等に含まれるプロセッサがメモリに記憶された制御プログラムを実行することにより実現されるものである。また、その制御プログラムを記録媒体に記録して頒布や流通させてもよい。例えば、頒布された制御プログラムをコンピュータにインストールして、プロセッサに実行させることで、コンピュータに、図１１に示した処理手順の全部又は一部を行わせることが可能となる。
【００７１】
また、上述したサーバ１０は、記録媒体を備えて相互に通信可能な複数のコンピュータにより実現されてもよく、その各コンピュータは、相互に離れた場所に設置され、相互に広域ネットワークを介して通信してもよい。また、情報端末２０が、サーバ１０の全部又は一部の機能を包含してもよい。情報端末２０が例えば対応情報を記録して保持する記録部１１を含むこととする場合においては、情報端末２０と通信可能な外部装置の要求に応じて、情報端末２０は、対応情報の全部又は一部をその外部装置に送信することとしてもよい。
【００７２】
また、上述した実施の形態、変形態様等で示した構成要素及び機能を任意に組み合わせることで実現される形態も本発明の範囲に含まれる。
【００７３】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００７４】
以下、本発明の一態様に係る情報登録方法、管理システム、情報端末及び制御プログラムについての構成、変形態様、効果等について示す。
【００７５】
（１）本発明の一態様に係る情報登録方法は、機器（例えば電力管理装置３０ａ）の設置の施工に係る情報を管理するサーバ１０と通信可能な情報端末２０において用いられる情報登録方法であって、サーバ１０のアドレスと機器を識別する機器識別情報とを示す登録用情報を、受光又は受信により取得する第１取得ステップ（例えばステップＳ１１）と、機器を施設（例えば施設４０ａ）に設置する施工者についての施工者識別情報を取得する第２取得ステップ（例えばステップＳ１４ａの一部）と、施設を特定する施設特定用情報を取得する第３取得ステップ（例えばステップＳ１６ａの一部）と、第１取得ステップで取得された登録用情報が示すアドレスに係るサーバ１０に、当該登録用情報が示す機器識別情報を送信する第１送信ステップ（例えばステップＳ１２ａ）と、第１取得ステップで取得された登録用情報が示すアドレスに係るサーバ１０に、第２取得ステップで取得された施工者識別情報を送信する第２送信ステップ（例えばステップＳ１４ａの残りの一部）と、第１取得ステップで取得された登録用情報が示すアドレスに係るサーバ１０に、第３取得ステップで取得された施設特定用情報を送信する第３送信ステップ（例えばステップＳ１６ａの残りの一部）とを含む。
【００７６】
これにより、機器の施設への設置を施工した施工者にとって、その機器の施工に関連する情報の設定（登録）をする作業の負担が比較的軽減され得る。
【００７７】
（２）例えば、第１取得ステップでは、情報端末２０が備える撮像素子を用いて機器（例えば電力管理装置３０ａ）を撮影対象として撮影することにより、登録用情報の取得を行うこととしてもよい。
【００７８】
これにより、施工者にとって、施工の度に異なる機器に係る情報の登録を、機器毎に異なる製造メーカ、型番等の機器識別情報を手作業で入力する場合よりも効率的に行えるようになる。
【００７９】
（３）例えば、第１取得ステップでは、情報端末２０が備える撮像素子を用いて登録用情報を表す２次元コードの印刷物を撮影することにより、登録用情報の取得を行うこととしてもよい。
【００８０】
これにより、施工者が、２次元コードの撮影により、効率的に、必要な情報の登録を行うことができるようになる。
【００８１】
（４）例えば、登録用情報は、サーバ１０のアドレスと機器を識別する機器識別情報とを含んで構成されるＵＲＬであることとしてもよい。
【００８２】
これにより、施工者が、２次元コードを撮影することにより、サーバ１０にアクセスして登録のための機器識別情報を伝えることができるようになる。
【００８３】
（５）例えば、第２取得ステップでは、情報端末２０への入力操作を受け付けることにより、施工者識別情報の取得を行うこととしてもよい。
【００８４】
これにより、施工者識別情報を知らない者（施工者でない者）が施工に係る情報の登録作業を行うことを防止し得る。なお、施工者にとって、施工の度に同一内容となる施工者識別情報の入力操作は、比較的容易な場合が多いと想定される。
【００８５】
（６）例えば、機器は、施設の電力制御を行うための電力管理装置（例えば電力管理装置３０ａ）であり、第２取得ステップで取得する施工者識別情報は、施設の電力制御を行えるように電力管理装置を当該施設に設置する施工者が、サーバ１０から閲覧用情報を取得するための認証用情報であり、サーバ１０は、複数の施設それぞれについて当該施設に設置された電力管理装置を識別する機器識別情報と当該設置を施工した施工者についての施工者識別情報とを対応付けた対応情報を記録（例えば記録部１１に記録）しており、施工者識別情報を受信した場合に対応情報に基づいて生成した閲覧用情報を当該施工者識別情報の送信元に送信する機能（例えば閲覧用情報送信機能部１４３の機能）と、第１送信ステップ、第２送信ステップ及び第３送信ステップで送信された各情報を受信した場合に当該各情報に応じて対応情報を更新する機能（例えば更新機能部１４１の機能）とを有することとしてもよい。
【００８６】
これにより、電力管理装置を施工する施工者にとって、閲覧用情報を得るために用いる施工者識別情報（ログイン情報等）を一貫して用いて、施工に係る情報の登録作業を行うことができる。
【００８７】
（７）例えば、情報登録方法は更に、第２送信ステップでの送信に対応してサーバ１０から送信される、１以上の各施設を示す選択用情報を受信する選択用情報受信ステップ（例えばステップＳ１５ｂの一部）を含み、第３取得ステップでは、選択用情報受信ステップで受信した選択用情報を情報端末２０が備えるディスプレイに表示した後（例えばステップＳ１５ｂの残りの一部）に情報端末２０への、施設を選択する入力操作を受け付けることにより、当該選択に係る施設を特定する施設特定用情報の取得を行うこととしてもよい。
【００８８】
これにより、施工者が、施設を特定する施設特定用情報の入力を、施設の選択肢からの選択により容易に行えるようになる。
【００８９】
（８）例えば、選択用情報は、１以上の各施設について、既に当該施設に機器が設置されているか否かを示す情報を含み、第３取得ステップでは、選択用情報が示す施設毎に当該施設に機器が設置されているか否かを識別可能なようにディスプレイに表示することとしてもよい。
【００９０】
これにより、施工者が、ディスプレイを確認することで、既に機器を設置して登録済の施設に対応付けて誤って機器の設置に係る登録を行わないように注意できる。また、登録済の機器について、施工者がその機器の２次元コードの撮影等で情報端末２０に登録用情報を取得させてサーバ１０にアクセスした場合においては、情報端末２０は、サーバ１０からの情報に基づいて、既にその登録済の機器と、その機器に対応付けられている施設だけとを示す情報をディスプレイに表示させるように制御してもよい。この場合に、情報端末２０は、続いてその登録済の機器に係る登録内容の変更、登録の解除等を選択可能にするためのボタン等の表示要素をディスプレイに表示することとしてもよい。このような表示は、ある施設に登録済の機器を別の施設に誤って対応付けて２重登録するようなことを防止するために有用であり、また、登録内容の変更、解除に係る操作の利便性を向上させ得る。
【００９１】
（９）本発明の一態様に係る情報端末２０は、サーバ１０のアドレスと機器（例えば電力管理装置３０ａ）を識別する機器識別情報とを示す登録用情報を、受光又は受信により取得する第１取得部（例えば受光する撮像部２１を介して取得する登録用情報取得部２６１）と、機器を施設に設置する施工者についての施工者識別情報を取得する第２取得部（施工者識別情報取得部２６２）と、施設を特定する施設特定用情報を取得する第３取得部（施設特定用情報取得部２６３）と、第１取得部により取得された登録用情報が示すアドレスに係るサーバ１０に、当該登録用情報が示す機器識別情報と、第２取得部により取得された施工者識別情報と、第３取得部により取得された施設特定用情報とを送信する送信部２３とを備える。
【００９２】
これにより、機器の施設への設置を施工した施工者は、この情報端末２０を用いることで、その機器の施工に関連する情報の設定（登録）をする際の負担が軽減され得る。
【００９３】
（１０）本発明の一態様に係る制御プログラムは、プロセッサを備える情報端末２０に所定情報登録処理（情報端末用情報登録処理）を実行させるための制御プログラムであって、所定情報登録処理は、サーバ１０のアドレスと機器を識別する機器識別情報とを示す登録用情報を、受光又は受信により取得する第１取得ステップと、その機器を施設に設置する施工者についての施工者識別情報を取得する第２取得ステップと、その施設を特定する施設特定用情報を取得する第３取得ステップと、第１取得ステップで取得された登録用情報が示すアドレスに係るサーバ１０に、当該登録用情報が示す機器識別情報を送信する第１送信ステップと、第１取得ステップで取得された登録用情報が示すアドレスに係るサーバ１０に、第２取得ステップで取得された施工者識別情報を送信する第２送信ステップと、第１取得ステップで取得された登録用情報が示すアドレスに係るサーバ１０に、第３取得ステップで取得された施設特定用情報を送信する第３送信ステップとを含む。
【００９４】
この制御プログラムを情報端末２０にインストールして、プロセッサに実行させることにより、機器の施工に関連する情報の設定（登録）をする施工者の作業負担を軽減させることが可能となる。
【００９５】
（１１）本発明の一態様に係る情報登録方法は、機器（例えば電力管理装置３０ａ）の設置の施工に係る情報を管理するサーバ１０において用いられる情報登録方法であって、情報端末２０から機器を識別する機器識別情報を受信する第１受信ステップ（例えばステップＳ１２ｂ）と、情報端末２０から機器を施設に設置する施工者についての施工者識別情報を受信する第２受信ステップ（例えばステップＳ１４ｂ）と、１以上の各施設を示す選択用情報を送信する選択用情報送信ステップ（例えばステップＳ１５ａ）と、選択用情報送信ステップで送信した選択用情報が示す各施設のうちの１つの施設を特定する施設特定用情報を情報端末２０から受信する第３受信ステップ（例えばステップＳ１６ｂ）と、第１受信ステップ、第２受信ステップ及び第３受信ステップで受信した各情報に基づいて、施設特定用情報で特定される施設と機器識別情報と施工者識別情報とを対応付けた対応情報を記録する記録ステップ（例えばステップＳ１７）とを含む。
【００９６】
これにより、サーバ１０は、サーバ１０にアクセスする情報端末２０と連携動作でき、情報端末２０を操作する施工者による、施設への機器の設置に係る施工に関連する情報の設定（登録）の作業負担が軽減され得る。
【００９７】
（１２）本発明の一態様に係る制御プログラムは、プロセッサを備えるサーバ１０に所定情報登録処理（サーバ用情報登録処理）を実行させるための制御プログラムであって、所定情報登録処理は、情報端末２０から機器を識別する機器識別情報を受信する第１受信ステップと、情報端末２０から機器を施設に設置する施工者についての施工者識別情報を受信する第２受信ステップと、１以上の各施設を示す選択用情報を送信する選択用情報送信ステップと、選択用情報送信ステップで送信した選択用情報が示す各施設のうちの１つの施設を特定する施設特定用情報を情報端末２０から受信する第３受信ステップと、第１受信ステップ、第２受信ステップ及び第３受信ステップで受信した各情報に基づいて、施設特定用情報で特定される施設と機器識別情報と施工者識別情報とを対応付けた対応情報を記録する記録ステップとを含む。
【００９８】
この制御プログラムがサーバ１０にインストールされ、プロセッサにより実行されることにより、機器の施工に関連する情報の設定（登録）をする施工者の作業負担が軽減され得る。
【００９９】
（１３）本発明の一態様に係る管理システムは、機器設置の施工に係る情報を管理する管理システム１００であって、機器を識別する機器識別情報を、受光又は受信により取得する第１取得部（例えば登録用情報取得部２６１）と、その機器を施設に設置する施工者についての施工者識別情報を取得する第２取得部（例えば施工者識別情報取得部２６２）と、その施設を特定する施設特定用情報を取得する第３取得部（例えば施設特定用情報取得部２６３）と、第３取得部により取得した施設特定用情報で特定される施設と第１取得部により取得した機器識別情報と第２取得部により取得した施工者識別情報とを対応付けた対応情報を記録する記録部（例えば記録部１１）とを備える。
【０１００】
これにより、機器の施設への設置を施工した施工者にとって、その機器の施工に関連する情報の設定（登録）をする作業の負担が比較的軽減され得る。
【符号の説明】
【０１０１】
１０  サーバ
１１  記録部
１２  サーバの受信部
１３  サーバの送信部
２０  情報端末
２１  撮像部
２２  操作受付部
２３  情報端末の送信部
２４  情報端末の受信部
２５  表示部（ディスプレイ）
３０ａ、３０ｂ、３０ｃ  電力管理装置
３１  印刷物
４０ａ、４０ｂ、４０ｃ  施設
１００  管理システム
１４１  更新機能部
１４２  選択用情報送信制御部
１４３  閲覧用情報送信機能部
２６１  登録用情報取得部（第１取得部）
２６２  施工者識別情報取得部（第２取得部）
２６３  施設特定用情報取得部（第３取得部）
３１１  ２次元コード
【図１】
2017068779.tif 000003
【図２】
2017068779.tif 000004
【図３】
2017068779.tif 000005
【図４】
2017068779.tif 000006
【図５】
2017068779.tif 000007
【図６】
2017068779.tif 000008
【図７】
2017068779.tif 000009
【図８】
2017068779.tif 000010
【図９】
2017068779.tif 000011
【図１０】
2017068779.tif 000012
【図１１】
2017068779.tif 000013
【国際調査報告】
2017068779.tif 000014
2017068779.tif 000015
2017068779.tif 000016
2017068779.tif 000017